(57)【要約】【課題】ケイ酸化合物を主成分として含有する改質防水材によるコンクリートの改質防水施工を行ったか否かを、前記コンクリートの掘削を必要とせず容易且つ安全に確認し、前記改質防水材の使用量を定量できるコンクリート改質防水施工確認用マット及びコンクリート改質防水施工確認用具を提供する。【解決手段】吸水性を有する略長方形状のシートに、アルカリで変色するｐＨ指示薬が酸性を示す色を呈色した状態で含浸されてなることを特徴とするコンクリート改質防水施工確認用マット１であって、前記シートとしてはコットンを主材料とするものが、前記ｐＨ指示薬としてはフェノールフタレインが好適に用いられる。また、コンクリート改質防水施工確認用マット１が、開口部付近に密閉用のジッパー４，・・・を具えた軟性合成樹脂製袋３内に密閉されてなることを特徴とする改質防水施工確認用具２である。【選択図】図１
0003134702.tif 000002
【実用新案登録請求の範囲】
【請求項１】
吸水性を有する略長方形状のシートに、アルカリで変色するｐＨ指示薬が酸性を示す色を呈色した状態で含浸されてなることを特徴とするコンクリート改質防水施工確認用マット。
【請求項２】
シートが、コットンを主材料とするシートであることを特徴とする請求項１に記載のコンクリート改質防水施工確認用マット。
【請求項３】
ｐＨ指示薬が、フェノールフタレインであることを特徴とする請求項１又は請求項２に記載のコンクリート改質防水施工確認用マット。
【請求項４】
請求項１乃至請求項３の何れか１項に記載のコンクリート改質防水施工確認用マットが、開口部付近に密閉用のジッパーを具えた軟性合成樹脂製袋内に密閉されてなることを特徴とするコンクリート改質防水施工確認用具。
【考案の詳細な説明】
【技術分野】
【０００１】
本考案は、ケイ酸化合物を主成分として含有する改質防水材によるコンクリートの改質防水施工を行ったか否かを確認し、且つ／又は前記改質防水材の使用量を定量するためのマット及び用具に関する。
【背景技術】
【０００２】
コンクリートやモルタル等を長期に亘って使用すると、中性化によって内部鋼材の耐腐食性が低下したり、亀裂を生じて水漏れを惹き起こしたりする虞がある。中性化を予防し若しくは改質を行い、且つ／又は亀裂を補修する方法として、改質防水材をコンクリート等の表面に塗布又は噴霧する方法が開示されている（例えば、特許文献１参照）。
【０００３】
改質防水材は、通常、ケイ酸ナトリウム，ケイ酸リチウム等のケイ酸塩や水ガラス等（以下、ケイ酸化合物と称する）を主成分の一つとして含有し、水溶液又は水懸濁液として用いられる。前記ケイ酸化合物は、改質防水材の一成分として添加され又はコンクリート中に残存するカルシウムと結合してケイ酸カルシウムの不溶性塩を作り、亀裂を埋める機能を持つ。また、前記ケイ酸化合物の示すアルカリ性によってコンクリートの中性化を防止し、又は既に中性化の進んだコンクリートを再アルカリ化して改質する機能を有する。
【０００４】
しかしながら、改質防水材は一般的に無色且つ無臭であって、前記改質防水材による施工（以下、改質防水施工と称する）を行ったか否かを判別することが困難であった。また、施工に用いた改質防水材の量が適切か否かを知るために、改質防水材の使用量を定量する手段や用具も存在しなかった。
【０００５】
コンクリート改質防水材の施工確認方法ではないものの、コンクリートの中性化度を調べる方法が開示されている。
【０００６】
例えば、特許文献２に記載のコンクリートの中性化測定方法は、コンクリートを穿孔する際に排出されるコンクリート粉のアルカリ性を検知してコンクリートの中性化深さを測定する方法であり、試薬の入った容器を穿孔箇所の下方に固定し、容器内に落下したコンクリート粉が変色した時の穿孔深さまたは変色した時の容器内のコンクリート粉の量からコンクリートの中性化深さを求めることを特徴とするコンクリートの中性化測定方法である。
【０００７】
特許文献３には、発色によりｐＨを指示するｐＨ指示薬をコンクリートに付与してコンクリートの中性化度を測定した後、コンクリートに付着した色素を脱色剤により脱色することを特徴とするｐＨ指示色素付着型コンクリートの中性化度測定方法が開示されている。
【０００８】
【特許文献１】特許第３２０４９３１号公報
【特許文献２】特開２００２−４００１３号公報
【特許文献３】特開２００１−３３４３８号公報
【考案の開示】
【考案が解決しようとする課題】
【０００９】
しかしながら、前記特許文献に記載のコンクリートの中性化度を調べる方法は転用できず、改質防水施工を行ったか否かを容易に判別し又は改質防水材の使用量を定量する手段や用具は、今もって存在しない。
【００１０】
特許文献２に記載のコンクリートの中性化測定方法によれば、必ずコンクリートに穿孔しなければならない。改質防水施工を行ったか否かの確認に適用するためには、施工面の多数箇所を穿孔する必要があり、コンクリートの強度を著しく低下させるし、改質防水施工後のコンクリートの補修に手間が掛かる。また、フェノールフタレイン等の試薬の他、容器，ドリル等が必要であって測定方法自体も煩雑であるし、見上げ面及び見下げ面には適用できない。
【００１１】
また、改質防水施工は中性化の予防のためにも行われるし、施工前のコンクリートは必ずしも中性化が進行しているとは限らず、表面に近いごく浅い部分のみ中性化されている場合もある。この様な場合、コンクリート表面及びコンクリート表面に近い浅い部分でもアルカリ性を示すから、穿孔を始めて直ぐに試薬が変色し、その後穿孔を続けたとしても試薬は変色したままであって、改質防水施工前後の差を見出すことが極めて困難である。
【００１２】
特許文献３に記載のｐＨ指示色素付着型コンクリートの中性化度測定方法は脱色剤を必要とするが、該脱色剤は硫黄含有化合物，ホウ素含有物質，金属水素化物等の還元剤又は塩素のオキソ酸塩等の酸化剤であって、これら脱色剤自体又はこれら脱色剤の副生物が、悪臭，大気汚染，水質汚濁等の環境汚染を惹き起こす虞がある。また、これら脱色剤自体又はこれら脱色剤の副生物は人体に有害であり、更には水素ガスや過塩素酸塩等の爆発性物質を生じ、作業者を危険に曝す虞がある。
【００１３】
また、特許文献３に記載の方法では、現実的に脱色は不可能である。大抵のｐＨ指示薬は、フタレイン系，スルホンフタレイン系又はトリフェニルメタン系の化合物であるが、これらが還元されて生じるロイコ化合物は酸化され易く、空気中の酸素等によって容易に再酸化され、元の有色化合物を生じる。したがって、一旦還元剤によって脱色されたとしても、再度着色してしまう。一方、前記フタレイン系，スルホンフタレイン系，トリフェニルメタン系等の化合物は酸化されにくく、大抵の酸化剤では脱色され得ない。脱色するためには極めて強力な酸化剤を必要とするが、その様な酸化剤はコンクリート自体を損耗し、又は内部の鉄筋等の腐食を促進して、コンクリート構造物の強度を低下させる虞がある。
【００１４】
これらの問題点に鑑み、本考案は、コンクリートの中性化度を測定する方法ではなく、改質防水材によって施工したか否かを判別できる、コンクリート改質防水施工確認用マット及びコンクリート改質防水施工確認用具を提供することを課題とする。また、容易且つ安全に判別することができ、見上げ面，見下げ面を含むあらゆる施工面に適用可能であって、掘削によってコンクリート自体の強度を犠牲にすることを回避できる、コンクリート改質防水施工確認用マット及びコンクリート改質防水施工確認用具を提供することを課題とする。更に、コンクリート改質防水材の使用量を定量できる、コンクリート改質防水施工確認用マット及びコンクリート改質防水施工確認用具を提供することを課題とする。
【課題を解決するための手段】
【００１５】
上記課題を解決するために、本考案の請求項１記載のコンクリート改質防水施工確認用マットは、吸水性を有する略長方形状のシートに、アルカリで変色するｐＨ指示薬が酸性を示す色を呈色した状態で含浸されてなることを特徴としている。ここで、変色とは、特定の色から他の色への変色のみを表すものではなく、無色の状態からの着色，逆に有色の状態から無色への変化，色の濃淡の変化等を含むものとする。また、呈色は、必ずしも有色となることに限られず、有色から無色又は白色への変色も含むものとする。
【００１６】
請求項２に記載のコンクリート改質防水施工確認用マットは、請求項１に記載のコンクリート改質防水施工確認用マットであって、シートが、コットンを主材料とするシートであることを特徴としている。
【００１７】
請求項３に記載のコンクリート改質防水施工確認用マットは、請求項１又は請求項２に記載の改質防水施工確認用マットであって、ｐＨ指示薬が、フェノールフタレインであることを特徴としている。
【００１８】
請求項４は、請求項１乃至請求項３の何れか１項に記載のコンクリート改質防水施工確認用マットが、開口部付近に密閉用のジッパーを具えた軟性合成樹脂製袋内に密閉されてなることを特徴とするコンクリート改質防水施工確認用具である。
【００１９】
本考案のコンクリート改質防水施工確認用マットを施工面の一部に張り付けた後、コンクリート改質防水施工を行う。施工完了後、コンクリート改質防水施工確認用マットを取り外し、ジッパーを具えた軟性合成樹脂製袋に入れ密封して保存する。施工前後のコンクリート改質防水施工確認用マット又は改質防水施工確認用具の重量変化を測定することによって、単位面積当たりのコンクリート改質防水材使用量を求める。
【考案の効果】
【００２０】
本考案のコンクリート改質防水施工確認用マットは、アルカリに触れて変色するｐＨ指示薬が含浸されているから、アルカリ性を示すコンクリート改質防水材の水溶液又は水懸濁液が噴霧又は塗布されることによって変色する。たとえ施工面が広くても、本考案のコンクリート改質防水施工確認用マットを張り付けておくことによって、施工完了した部位が容易に視認でき、従来不可能であったコンクリート改質防水施工の出来形を検査することが可能である。
【００２１】
本考案のコンクリート改質防水施工確認用マットによれば、施工面に直接ｐＨ指示薬を塗布，噴霧等する必要が無いから、還元剤，酸化剤等の化学物質を用いて脱色する必要も生じない。脱色剤によるコンクリート，作業者又は環境に対する悪影響を回避し、安全に検査を行うことができる。
【００２２】
見下げ面には載置するだけで使用でき、それ以外の見上げ面，鉛直面等に対してはラス取付具，釘，ステープル，テープ等の止着材で係止するのみで、容易に張り付けて使用できる。更に、穿孔，削孔等の掘削によってコンクリート自体の強度を犠牲にする虞が無い。
【００２３】
施工後にコンクリート改質防水施工確認用マットを回収し、施工前後の重量変化を計測することによって、前記マットを張り付けていた部位近辺における、コンクリート改質防水材の使用量を知ることができる。
【００２４】
請求項２に記載のコンクリート改質防水施工確認用マットは、吸水性に優れたコットンを主材料とするシートを用いて作成されているから、コンクリート改質防水材の水溶液又は水懸濁液を吸収する能力が高い。コンクリート改質防水材の使用予定量は必ずしも一定でなく施工対象物ごとに異なるが、使用予定量が多い場合でも少ない場合でも、本考案が適用可能となる。また、改質防水材の水溶液又は水懸濁液の落滴が回避されるから、より正確な使用量の定量が可能である。
【００２５】
請求項３に記載のコンクリート改質防水施工確認用マットは、ｐＨ指示薬がフェノールフタレインであって、アルカリ性を示すコンクリート改質防水材の水溶液又は水懸濁液に触れることによって、無色から赤紫色へと鮮明に変色するから、施工を行ったか否かを判別することがより容易である。
【００２６】
請求項４に記載のコンクリート改質防水施工確認用具は、本考案に係るコンクリート改質防水施工確認用マットが軟性合成樹脂製袋内に密閉されているから、保存中の水分の揮散や空気中の水蒸気の吸収による重量変化が抑制され、コンクリート改質防水材の使用量をより正確に定量できる。また、空気中に含まれる水蒸気や酸性又は塩基性の気体に触れることが回避されるため、コンクリート改質防水施工確認用マットの意図せぬ変色や退色を防止することができる。
【００２７】
更に、軟性合成樹脂製袋の開口部付近に密閉用のジッパーが設けられているから、容易に開閉でき、コンクリート改質防水施工確認用マットの取り出し又は封入が容易である。
【考案を実施するための最良の形態】
【００２８】
以下に、本考案を実施するための最良の形態を、図面を参照しつつ詳細に説明するが、本考案はこれに限定されるものではない。
【００２９】
図１は、本考案の実施例を示す図面で、（ａ）はコンクリート改質防水施工確認用マットを示す斜視図であり、（ｂ）はコンクリート改質防水施工確認用具を示す斜視図である。
【００３０】
本考案に係るコンクリート改質防水施工確認用マット１は、吸水性を有する略長方形状のシートに、アルカリで変色するｐＨ指示薬が酸性を示す色を呈色した状態で含浸されてなる。
【００３１】
コンクリート改質防水施工確認用マット１に用いられるシートとしては、優れた吸水性と耐アルカリ性を持ちコンクリート改質防水材の水溶液又は水懸濁液を良好に吸収できる、ポリプロピレン又はコットンを主材料とするシートが好適に用いられるが、吸水性を有するものであれば特に限定されない。天然繊維であって、使用に際して繊維片が生じたとしても該繊維片によって環境汚染を惹き起こし難いコットンが、特に好適である。コットンの品質は特に限定されないが、１ｇ当り２０ｇ以上の水分を吸収できる、高い吸水性を有するものが好適に用いられる。
【００３２】
また、必ずしも１種の繊維材質で作成されている必要は無く、複数種の繊維が混合されて作成されていても良く、材質の異なる繊維材質が層構造をなしていても良い。市販の油吸収シートや吸水シートを用いることも可能である。
【００３３】
コンクリート改質防水施工確認用マット１は、図１（ａ）に示される様に、略長方形状の形状であるが、三角形，五角形他の多角形の他、円形，楕円形等任意の形状であっても同様の効果を奏する。しかし、作成が容易で、本考案を安価に提供することが可能な、略長方形状の形状であることが最も好ましい。本考案は、ｐＨ指示薬の変色を容易に視認できる様、ｐＨ指示薬以外の染料，顔料等有色成分を含有せず無色又は白色であることが望ましいが、ｐＨ指示薬の変色に影響せず、且つｐＨ指示薬の変色を視認できる程度であれば、他の有色成分によって着色されていても良い。また、本考案のサイズ，厚み等は、特に限定されない。
【００３４】
本考案に用いるｐＨ指示薬の種類は、使用するコンクリート改質防水材の水溶液又は水懸濁液が示すアルカリ性で変色するものであれば特に限定されないが、前記水溶液又は水懸濁液によって鮮明に変色するクレゾールレッド，チモールブルー，フェノールフタレイン，チモールフタレイン，アリザリンイエロー又はアルカリブルー等が好適に用いられる。無色から赤紫色に変色するフェノールフタレインが特に好適である。ｐＨ指示薬として酸性を示す色を呈したｐＨ指示薬の溶液を使用しても良く、その場合、溶媒は特に限定されないが、環境汚染を惹起し難いエタノール，水，又はそれらの混合溶媒である含水エタノールが、好適に用いられる。
【００３５】
ｐＨ指示薬を前記シートに含浸せしめることによって、本考案のコンクリート改質防水施工確認用マット１を得る。
【００３６】
ｐＨ指示薬を含浸せしめる方法としては、シートにｐＨ指示薬の溶液を噴霧又は塗布する方法，ｐＨ指示薬の溶液にシートを浸漬する方法，ｐＨ指示薬が含浸された繊維でマットを作成する方法等種々の方法が適用可能であり、特にその方法を限定するものではない。ｐＨ指示薬の変色が視認できれば良いから、必ずしもｐＨ指示薬がコンクリート改質防水施工確認用マット１の全体に均一に含浸されている必要は無く、少なくとも１つの表面に含浸されていれば良い。容易に本考案を作成できることから、ｐＨ指示薬の溶液を噴霧する方法が、最も好適である。ｐＨ指示薬のエタノール溶液又は含水エタノール溶液を噴霧して用いると、風乾のみによって容易に溶媒を除去できるから、より容易に本考案を作成できる。
【００３７】
本考案に係るコンクリート改質防水施工確認用具２は、図１（ｂ）に示される様に、コンクリート改質防水施工確認用マット１が、開口部付近に密閉用のジッパー４，・・・を具えた軟性合成樹脂製袋３内に密閉されてなる。
【００３８】
軟性合成樹脂製袋３の材質は、軟性を有する合成樹脂であれば特にその種類を限定するものではく、ポリエチレン，ポリプロピレン，ポリアミド，ポリ塩化ビニル等の合成樹脂が好適に用いられる。耐アルカリ性を有し、安価に入手可能なポリエチレン，ポリプロピレン又はポリ塩化ビニルが、特に好適である。
【００３９】
また、その外観は特に限定されず、無色透明の材質，黒色遮光性の材質，表面処理された半透明の材質等、様々な外観の物が使用可能である。封入されるコンクリート改質防水施工確認用マットに含浸されたｐＨ指示薬の変色の有無を、軟性合成樹脂製袋３の外からでも容易に視認できる無色透明の材質が最も好ましい。
【００４０】
また、軟性合成樹脂製袋３は、特にそのサイズや形状を限定するものでもない。軟性剛性樹脂製袋３として、市販のジッパー付き合成樹脂製袋を使用することも可能である。
【００４１】
軟性合成樹脂製袋３の開口部付近の内面にはジッパー４，・・・が設けられていて、該ジッパー４，・・・を嵌着することによって前記軟性合成樹脂製袋３は密閉される。
【００４２】
図１（ｂ）においては、二対のジッパーが設けられているが、必ずしもその数は限定されず、一対であっても三対以上であっても良い。軟性合成樹脂製袋３がより確実に密閉される様、二対以上のジッパー４，・・・が設けられていることが好ましい。確実に密閉されることによって、水分の揮散又は空気中の水蒸気の吸収による、コンクリート改質防水施工確認用マット１の保存中の重量変化が回避され、またコンクリート改質防水施工確認用マット１の含有するｐＨ指示薬が、外気に含まれる酸性若しくは塩基性ガスに触れて変色することも回避されるからである。一方、三対以上のジッパーが設けられていると前記軟性合成樹脂製袋３の開閉が煩雑となる。よって、二対のジッパー４，４が設けられていることが最も好ましい。
【００４３】
以下、実施例及び使用例を示すが、本考案はこれに限定されるものではない。
【実施例】
【００４４】
１ｇ当り約２４ｇの吸水性を有する、コットン製のシート（カクイ株式会社製；ＣＷＯ−５５７５）に、フェノールフタレイン  １ｗ／ｖ％エタノール溶液（シグマアルドリッチジャパン株式会社製）を、前記シートの表面が軽く湿る程度に噴霧した。恒量に達するまで風乾し、溶媒を揮散させ除去した。２５ｃｍ四方の正方形状に裁断し、コンクリート改質防水施工確認用マット１を得た。
【００４５】
市販のジッパー付き合成樹脂製袋に、コンクリート改質防水施工確認用マット１を挿入し、コンクリート改質防水施工確認用具２を得た。
【使用例】
【００４６】
図２は、本考案の使用例を示す斜視図である。
【００４７】
上記実施例に記載のコンクリート改質防水施工確認用具２の、使用前の重量を測定し、該重量をコンクリート改質防水施工確認用具２の表面に記載した。
【００４８】
コンクリート改質防水施工確認用マット１を、ラス取付具５，・・・を用い、コンクリート改質防水施工を行う見上げ面に、適宜間隔をおいて張り付けた。本考案を適用する面は必ずしも見上げ面に限られず、鉛直面でも見下げ面でも良い。一応の目安としては、コンクリート改質防水施工確認用マット１を、１００ｍ２当り５箇所程度張り付ける。張り付ける手段は特に限定されないが、ラス取付具，釘，ステープル，テープ等の止着材を用いて留めても良く、見下げ面においては単に載置するのみでも良い。止着材を用いる場合には、施工面を損傷せずに、本考案を容易に張り付け、取り外すことのできるラス取付具によることが最も好ましい。
【００４９】
コンクリート改質防水施工確認用マット１を張り付けた後、コンクリート改質防水材（株式会社環境美健製）の水溶液を、スプレーガン６を用いて噴霧し、施工を行った。コンクリート改質防水材の水溶液を噴霧した部分のみ、コンクリート改質防水施工確認用マット１が赤紫色に変色することが確認され、施工面のどの位置の施工が終わったか容易に視認できた。
【００５０】
施工面各位置の施工が終わったら、その位置に張り付けられたコンクリート改質防水施工確認用マット１を、順次施工面から取り外し、軟性合成樹脂製袋３に挿入し密封保存した。コンクリート改質防水施工確認用マット１を張り付けた位置及び施工前のコンクリート改質防水施工確認用具２の重量を、軟性合成樹脂製袋３の表面に記録した。
【００５１】
施工面上のコンクリート改質防水施工確認用マット１が張り付けられていた位置には、施工漏れが無い様、コンクリート改質防水材の水溶液を噴霧した。
【００５２】
コンクリート改質防水施工確認用具２の施工後の重量を測定し、施工前重量との差を求めた。この差は、コンクリート改質防水施工確認用マット１の施工前後の重量差であり、コンクリート改質防水施工確認用マット１が張り付けられた位置における、コンクリート改質防水材の水溶液の噴霧量である。その結果を、表１に示す。
【００５３】
【表１】
0003134702.tif 000003
【００５４】
本使用例においては、設計量（噴霧予定量の下限値）は、マット１枚分の面積当り１５．６ｇであったが、Ａ乃至Ｅの５箇所全てにおいて、設計量以上の噴霧を行ったことが確認できた。Ａ乃至Ｅの５箇所の平均噴霧量が２４．０ｇ、標準偏差が２．１ｇであり、統計的にも、施工面全域において、設計量を十分に超える量の噴霧が行われたことが分った。
【００５５】
コンクリート改質防水施工確認用具２の重量は、ジッパー４，・・・が嵌着され軟性合成樹脂製袋３が密閉されている限りにおいて、コンクリート改質防水材の噴霧前でも噴霧後であっても、少なくとも３週間変化しなかった。
【００５６】
本使用例に示される様に、コンクリート改質防水施工確認用マット１又はコンクリート改質防水施工確認用具２の、施工前後の重量変化及び施工位置の情報から、施工面中の各位置のコンクリート改質防水材使用量が分る。これによって、使用量の不足する位置に対して再度施工を行うなどの対策を採ることができる。
【００５７】
尚、本使用例に記載した使用方法は、特定のコンクリート改質防水材に限られず、ケイ酸化合物を主成分として含有する、種々のコンクリート改質防水材に対しても適用可能である。
【図面の簡単な説明】
【００５８】
【図１】本考案の実施例を示す図面で、（ａ）はコンクリート改質防水施工確認用マットを示す斜視図であり、（ｂ）はコンクリート改質防水施工確認用具を示す斜視図である。
【図２】本考案の使用例を示す斜視図である。
【符号の説明】
【００５９】
１  改質防水施工確認用マット
２  改質防水施工確認用具
３  軟性合成樹脂製袋
４  ジッパー
５  ラス取付具
６  スプレーガン
【図１】
0003134702.tif 000004
【図２】
0003134702.tif 000005